(57)【特許請求の範囲】
【請求項１】
白画像表示時の表示装置の表示色が色空間における所定の目標範囲に含まれるように、上記表示装置の各原色に対するゲインを調整するホワイトバランス調整方法において、
上記目標範囲に含まれる、上記表示色の収束点は、上記表示装置の表示色の輝度低下がより小さくなるように設定されたものである、
ことを特徴とするホワイトバランス調整方法。
【請求項２】
上記収束点は、上記目標範囲の周上に設定されたものであり、
上記表示装置の表示色を検出する検出工程と、
上記検出工程にて検出された表示色の色空間上での色度点を特定する特定工程と、
上記特定工程にて特定された色度点が、上記色空間上の上記目標範囲以外の範囲に設定された複数の領域の何れに属するものであるかを判定する判定工程と、
各収束点のうち上記特定工程にて特定された色度点の属する領域に対応付けられた収束点に向かって、上記表示装置の表示色が変化するように、上記表示装置の各原色に対するゲインを調整する調整工程とを含んでいる
ことを特徴とする請求項１に記載のホワイトバランス調整方法。
【請求項３】
上記目標範囲が、黒体軌跡方向を長手方向とする四辺形に設定されている
ことを特徴とする請求項２に記載のホワイトバランス調整方法。
【請求項４】
上記目標範囲は、色温度が９０００Ｋの等色温度線、色温度が１８０００Ｋの等色温度線、黒体軌跡からの偏差が−０．００５Δｕｖの等偏差線、及び黒体軌跡からの偏差が＋０．００５Δｕｖの等偏差線の各交点を頂点とする四辺形である、
ことを特徴とする請求項２または３の何れかに記載のホワイトバランス調整方法。
【請求項５】
上記複数の領域は、
上記目標範囲の低温度側かつ正偏差側の頂点を収束点とする領域、
上記目標範囲の低温度側の辺上の点を収束点とする領域、
上記目標範囲の負偏差側の辺上の点を収束点とする領域、
上記目標範囲の高温度側かつ負偏差側の頂点を収束点とする領域、
上記目標範囲の高温度側の辺上の点を収束点とする領域、
上記目標範囲の高温度側かつ正偏差側の頂点を収束点とする領域、及び
上記目標範囲の正偏差側の辺上の点を収束点とする領域、
であることを特徴とする請求項２から４の何れかに記載のホワイトバランス調整方法。
【請求項６】
上記色空間は、ｘｙ色度座標により表されるものである、
ことを特徴とする請求項２から５の何れか１項に記載のホワイトバランス調整方法。
【請求項７】
上記調整工程にて各原色のゲインが調整された上記表示装置の表示色が、上記目標範囲に含まれているか否かを識別する識別工程と、
各原色のゲインが調整された上記表示装置の表示色が、上記識別工程にて、上記目標範囲に含まれていないと識別された場合に、上記表示装置の表示色が上記目標範囲に含まれるように、上記表示装置の各原色に対するゲインを再調整する再調整工程と、
を更に含んでいることを特徴とする請求項２から６の何れか１項に記載のホワイトバランス調整方法。
【請求項８】
白画像表示時の表示装置の表示色が色空間における所定の目標範囲に含まれるように、上記表示装置の各原色に対するゲインを調整するホワイトバランス調整方法において、
上記目標範囲に含まれる、上記表示色の収束点は、上記表示装置の表示色の輝度低下がより小さくなるように設定されたものである、
ことを特徴とするホワイトバランス調整装置。
【請求項９】
上記収束点は、上記目標範囲の周上に設定されたものであり、
上記表示装置の表示色を検出する検出手段と、
上記検出手段によって検出された表示色の色空間上での色度点を特定する特定手段と、
上記特定手段によって特定された色度点が、上記色空間上の上記目標範囲以外の範囲に設定された複数の領域の何れに属するものであるかを判定する判定手段と、
各収束点のうち上記特定手段によって特定された色度点の属する領域に対応付けられた収束点に向かって、上記表示装置の表示色が変化するように、上記表示装置の各原色に対するゲインを調整する調整手段とを含んでいる
ことを特徴とする請求項８に記載のホワイトバランス調整装置。
【請求項１０】
請求項９に記載のホワイトバランス調整装置が備えている各手段としてコンピュータを動作させるためのプログラム。
【請求項１１】
請求項１０に記載のプログラムを記録しているコンピュータ読取り可能な記録媒体。
【発明の詳細な説明】
【技術分野】
【０００１】
本発明は、表示装置のホワイトバランスを調整するためのホワイトバランス調整方法に関する。また、表示装置のホワイトバランスを調整するためのホワイトバランス調整装置に関する。
【背景技術】
【０００２】
一般に、表示装置の表示色には個体差が発生し得る。このため、多くの場合、表示装置の製造工程において、ホワイトバランスの調整が行われる。
【０００３】
特許文献１には、目標のホワイトバランスに調整したときのＲ，Ｇ，Ｂの比率を演算し、目標の輝度率特性を変更し、その調整用輝度率特性に従ってホワイトバランスを調整する技術が開示されている。特許文献１に記載の技術によれば、ホワイトバランス調整の高速化を図ることができる。
【０００４】
また、特許文献２には、入力された色温度において白となる基準点を決定し、当該基準点をＢ−Ｇ、Ｒ−Ｇ平面の中心とする楕円形状のホワイトバランス許容範囲を設定し、補正前の点が楕円の外に位置する場合、補正前の点と基準点とを結ぶ直線と楕円との交点を目標値に決定する技術が開示されている。特許文献２に記載の技術によれば、過度な引き込みによる色差ずれの抑制を図ることができる。
【先行技術文献】
【特許文献】
【０００５】
【特許文献１】特開２００９−２２５４４０号公報（２００９年１０月１日公開）
【特許文献２】特開２００６−０７４６９１号公報（２００６年３月１６日公開）
【発明の概要】
【発明が解決しようとする課題】
【０００６】
一方で、一般にホワイトバランスの調整には輝度低下が伴う。表示装置の表示性能の観点からは、この輝度低下はなるべく小さいことが好ましい。この点に関して、特許文献１に記載の技術では、ホワイトバランスの調整に伴う輝度低下を十分に抑制することができないという問題があった。また、特許文献２に記載の技術によっても、ホワイトバランスの調整に伴う輝度低下を十分に抑制することができないという問題があった。本発明は、上記の課題を解決するためになされたものであり、その主たる目的は、輝度低下を抑制することのできるホワイトバランス調整方法を実現することにある。
【課題を解決するための手段】
【０００７】
上記の課題を解決するため、本発明に係るホワイトバランス調整方法は、白画像表示時の表示装置の表示色が色空間における所定の目標範囲に含まれるように、上記表示装置の各原色に対するゲインを調整するホワイトバランス調整方法において、
白画像表示時の表示装置の表示色が色空間における所定の目標範囲に含まれるように、上記表示装置の各原色に対するゲインを調整するホワイトバランス調整方法において、上記目標範囲に含まれる、上記表示色の収束点は、上記表示装置の表示色の輝度低下がより小さくなるように設定されたものであることを特徴としている。
【０００８】
上記のように構成されたホワイトバランス調整方法によれば、上記表示色の収束点は、上記表示装置の表示色の輝度低下がより小さくなるように設定されたものである。このことによって、輝度低下を抑制しつつホワイトバランスの調整を行うことができる。
【０００９】
また、上記ホワイトバランス調整方法において、上記収束点は、上記目標範囲の周上に設定されたものであり、上記表示装置の表示色を検出する検出工程と、上記検出工程にて検出された表示色の色空間上での色度点を特定する特定工程と、上記特定工程にて特定された色度点が、上記色空間上の上記目標範囲以外の範囲に設定された複数の領域の何れに属するものであるかを判定する判定工程と、各収束点のうち上記特定工程にて特定された色度点の属する領域に対応付けられた収束点に向かって、上記表示装置の表示色が変化するように、上記表示装置の各原色に対するゲインを調整する調整工程とを含んでいることが好ましい。
【００１０】
上記の構成によれば、複数の領域の各々に対応付けられた収束点を用いるので、より簡単な処理によって、輝度低下を抑制しつつホワイトバランスの調整を行うことができる。
【００１１】
また、上記ホワイトバランス調整方法において、上記目標範囲が、黒体軌跡方向を長手方向とする四辺形に設定されていることが好ましい。
【００１２】
上記のように構成されたホワイトバランス調整方法によれば、上記目標範囲が黒体軌跡方向を長手方向とする四辺形に設定されているので、ホワイトバランス調整の目標を実質的に点に設定している従来の技術に比べて、ホワイトバランス調整に伴う輝度低下を抑制することができる。また、目標範囲を楕円形状に設定する特許文献２に記載の技術に比べて、色空間における色度点の位置の識別が容易であるため、ホワイトバランス調整処理の高速化を図ることができる。
【００１３】
また、上記目標範囲は、色温度が９０００Ｋの等色温度線、色温度が１８０００Ｋの等色温度線、黒体軌跡からの偏差が−０．００５Δｕｖの等偏差線、及び黒体軌跡からの偏差が＋０．００５Δｕｖの等偏差線の各交点を頂点とする四辺形である、ことが好ましい。
【００１４】
発明者は、色温度が９０００Ｋの等色温度線、色温度が１８０００Ｋの等色温度線、黒体軌跡からの偏差が−０．００５Δｕｖの等偏差線、及び黒体軌跡からの偏差が＋０．００５Δｕｖの等偏差線の各交点を頂点とする四辺形に含まれる色度点であれば、白として違和感のない表示になるという知見を得た。
【００１５】
したがって、上記の構成によれば、輝度低下を抑制しつつ、適切なホワイトバランス調整処理を行うことができる。
【００１６】
また、上記複数の領域は、上記目標範囲の低温度側かつ正偏差側の頂点を収束点とする領域、上記目標範囲の低温度側の辺上の点を収束点とする領域、上記目標範囲の負偏差側の辺上の点を収束点とする領域、上記目標範囲の高温度側かつ負偏差側の頂点を収束点とする領域、上記目標範囲の高温度側の辺上の点を収束点とする領域、上記目標範囲の高温度側かつ正偏差側の頂点を収束点とする領域、及び上記目標範囲の正偏差側の辺上の点を収束点とする領域、であることが好ましい。
【００１７】
発明者は、色空間を、上記目標範囲の低温度側かつ正偏差側の頂点を収束点とする領域、上記目標範囲の低温度側の辺上の点を収束点とする領域、上記目標範囲の負偏差側の辺上の点を収束点とする領域、上記目標範囲の高温度側かつ負偏差側の頂点を収束点とする領域、上記目標範囲の高温度側の辺上の点を収束点とする領域、上記目標範囲の高温度側かつ正偏差側の頂点を収束点とする領域、及び上記目標範囲の正偏差側の辺上の点を収束点とする領域に分割し、各領域に位置する色度点が、該領域に対応付けられた収束点に収束するようにホワイトバランスを調整することによって、輝度低下を効果的に抑制することができるとの知見を得た。
【００１８】
したがって、上記の構成によれば、輝度低下を抑制しつつ、適切なホワイトバランス調整処理を行うことができる。
【００１９】
また、上記色空間は、ｘｙ色度座標により表されるものである、ことが好ましい。
【００２０】
上記の構成によれば、ｘｙ色度座標を用いた適切なホワイトバランス調整処理を行うことができる。
【００２１】
また、上記ホワイトバランス調整方法は、上記調整工程にて各原色のゲインが調整された上記表示装置の表示色が、上記目標範囲に含まれているか否かを識別する識別工程と、各原色のゲインが調整された上記表示装置の表示色が、上記識別工程にて、上記目標範囲に含まれていないと識別された場合に、上記表示装置の表示色が上記目標範囲に含まれるように、上記表示装置の各原色に対するゲインを再調整する再調整工程と、を更に含んでいることが好ましい。
【００２２】
上記の方法によれば、各原色のゲインが調整された上記表示装置の表示色が、上記識別工程にて、上記目標範囲に含まれていないと識別された場合に、上記表示装置の表示色が上記目標範囲に含まれるように、上記表示装置の各原色に対するゲインを再調整するので、適切なホワイトバランス調整処理を行うことができる。
【００２３】
また、上記の方法によれば、各原色のゲインが調整された上記表示装置の表示色が、上記識別工程にて、上記目標範囲に含まれていると識別された場合に、更なるホワイトバランス調整処理を省略可能である。したがって、上記の方法によれば、ホワイトバランス調整処理の高速化を図ることができる。
【００２４】
本発明に係るホワイトバランス調整装置は、白画像表示時の表示装置の表示色が色空間における所定の目標範囲に含まれるように、上記表示装置の各原色に対するゲインを調整するホワイトバランス調整方法において、
上記目標範囲に含まれる、上記表示色の収束点は、上記表示装置の表示色の輝度低下がより小さくなるように設定されたものであることを特徴とする。
【００２５】
また、本発明に係るホワイトバランス調整装置は、  上記収束点は、上記目標範囲の周上に設定されたものであり、
上記表示装置の表示色を検出する検出手段と、
上記検出手段によって検出された表示色の色空間上での色度点を特定する特定手段と、
上記特定手段によって特定された色度点が、上記色空間上の上記目標範囲以外の範囲に設定された複数の領域の何れに属するものであるかを判定する判定手段と、
各収束点のうち上記特定手段によって特定された色度点の属する領域に対応付けられた収束点に向かって、上記表示装置の表示色が変化するように、上記表示装置の各原色に対するゲインを調整する調整手段とを含んでいることが好ましい。
白画像表示時の表示装置の表示色が色空間における所定の目標範囲に含まれるように、上記表示装置の各原色に対するゲインを調整するホワイトバランス調整装置において、表示装置の表示色を検出する検出手段と、上記検出手段によって検出された表示色の色空間上での色度点を特定する特定手段と、上記特定手段によって特定された色度点が、上記色空間上に設定された複数の領域の何れに属するものであるかを判定する判定手段と、上記目標範囲の周上に設けられた収束点であって上記特定手段によって特定された色度点の属する領域に対応付けられた収束点に向かって、上記表示装置の表示色が変化するように、上記表示装置の各原色に対するゲインを調整する調整手段と、を備えていることを特徴としている。
【００２６】
上記のように構成されたホワイトバランス調整装置によれば、上記ホワイトバランス調整方法と同様の効果を奏する。
【００２７】
また、上記ホワイトバランス調整装置が備えている各手段としてコンピュータを動作させるためのプログラム、及び、当該プログラムを記録しているコンピュータ読取り可能な記録媒体も本発明の範疇に含まれる。
【発明の効果】
【００２８】
このように、本発明に係るホワイトバランス調整方法は、白画像表示時の表示装置の表示色が色空間における所定の目標範囲に含まれるように、上記表示装置の各原色に対するゲインを調整するホワイトバランス調整方法において、表示装置の表示色を検出する検出工程と、上記検出工程にて検出された表示色の色空間上での色度点を特定する特定工程と、上記特定工程にて特定された色度点が、上記色空間上の上記目標範囲以外の範囲に設定された複数の領域の何れに属するものであるかを判定する判定工程と、上記目標範囲の周上に設けられた収束点であって上記特定工程にて特定された色度点の属する領域に対応付けられた収束点に向かって、上記表示装置の表示色が変化するように、上記表示装置の各原色に対するゲインを調整する調整工程と、を含んでいる。
【００２９】
また、本発明に係るホワイトバランス調整装置は、白画像表示時の表示装置の表示色が色空間における所定の目標範囲に含まれるように、上記表示装置の各原色に対するゲインを調整するホワイトバランス調整装置において、表示装置の表示色を検出する検出手段と、上記検出手段によって検出された表示色の色空間上での色度点を特定する特定手段と、上記特定手段によって特定された色度点が、上記色空間上に設定された複数の領域の何れに属するものであるかを判定する判定手段と、上記目標範囲の周上に設けられた収束点であって上記特定手段によって特定された色度点の属する領域に対応付けられた収束点に向かって、上記表示装置の表示色が変化するように、上記表示装置の各原色に対するゲインを調整する調整手段と、を備えている。
【００３０】
上記ホワイトバランス調整方法及びホワイトバランス調整装置によれば、ホワイトバランス調整処理の際の輝度低下を抑制することができる。
【図面の簡単な説明】
【００３１】
【図１】本発明の一実施形態に係るホワイトバランス調整方法において用いる調整目標範囲（領域Ｈ）、および、その周辺領域を示す色度図である。
【図２】本発明の一実施形態に係るテレビジョン受像器、および、ホワイトバランス調整装置の構成を示すブロック図である。
【図３】上記ホワイトバランス調整装置がホワイトバランスを調整する流れを示すフローチャートである。
【図４】本発明の一実施形態に係るホワイトバランス調整方法における、ホワイトバランス調整前の各色度点と、調整色度点との対応を示す図である。
【図５】本発明の一実施形態に係るホワイトバランス調整方法において、領域Ａ〜Ｇに存在する各色度点と、調整色度点との対応を示す図である。
【発明を実施するための形態】
【００３２】
以下では、本発明の一実施形態について、図１〜６を参照して説明する。本実施形態に係るホワイトバランス調整装置についての説明に先立って、ホワイトバランス調整における目標範囲について説明する。
【００３３】
（ホワイトバランス調整における目標範囲）
図１は、ｘｙ色度図（ＣＩＥ色度図）上における白色近傍の領域を示す図である。図１のｘｙ色度図上には、各色温度における黒体放射の色度である黒体軌跡、等色温度線、および、等偏差線が描かれている。
【００３４】
本発明の一実施形態に係るホワイトバランス（ＷＢ）調整方法は、表示装置の個体差に起因するＷＢのばらつきを調整するための調整方法である。ＷＢの調整は、例えば、表示装置の製造工程の一部として実施されるものであるが、これに限定されるものではない。例えば、出荷後にユーザからの調整依頼に基づいてＷＢを調整する際に、本実施形態に係る調整方法を用いることもできる。
【００３５】
本実施形態では、表示装置として液晶表示（ＬＣＤ）モジュール２０を備えるテレビジョン受像器１０を例にして、ＷＢ調整方法を説明する。
【００３６】
テレビジョン受像器１０が備える各画素は、たとえば赤（Ｒ）、緑（Ｇ）、青（Ｂ）のサブ画素を備える。テレビジョン受像器１０は、Ｒ、ＧおよびＢの各サブ画素をそれぞれ最高階調で点灯させることによって、図１に示すｘｙ色度図上のいずれかの色度点に対応する色を表示する。本願明細書では、当該色度点を調整前色度点（ｘｉ，ｙｉ）と定義する。
【００３７】
各テレビジョン受像器１０における調整前色度点（ｘｉ，ｙｉ）は、個体によってばらついている。このばらついている調整前色度点（ｘｉ，ｙｉ）を、色度図上における所定の目標範囲に収めるための調整がＷＢ調整である。
【００３８】
本発明の一実施形態に係るＷＢ調整方法においては、上記所定の目標範囲を、たとえば図１に示す領域Ｈに設定する。領域Ｈは、黒体軌跡を挟む２本の等偏差線のそれぞれに沿った２辺と、等色温度線方向を別の２辺とを有する四辺形である。領域Ｈは、図１に示すように、黒体軌跡方向を長手方向とすることが好ましい。
【００３９】
なお、ＷＢ調整方法の詳細については後述する。
【００４０】
本実施形態においては、Ｒ、ＧおよびＢの三原色を備えるテレビジョン受像器１０を例にしてホワイトバランス調整装置が行うＷＢ調整方法について説明する。しかし、本発明の一実施形態に係るホワイトバランス調整装置、および、ＷＢ調整方法の対象は、三原色を備えるテレビジョン受像器に限られず、たとえば、Ｒ、ＧおよびＢに加えて黄色の四原色を備えるテレビジョン受像器であってもよい。
【００４１】
（領域Ｈの設定方法）
所定の目標範囲である領域Ｈを狭い範囲に設定すると、複数のテレビジョン受像器１０における色温度および色相のばらつきを抑制することができる。しかし、このことは同時に、１台のテレビジョン受像器１０のＷＢ調整に要する時間が長くなることを意味する。すなわち、テレビジョン受像器１０の製造工程における製造効率が低下することを意味する。
【００４２】
一方、領域Ｈを広い範囲に設定すると、１台のテレビジョン受像器１０のＷＢ調整に要する時間は短くなり、製造効率は向上する。しかし、あまりに領域Ｈを大きい面積に設定すると、各テレビジョン受像器１０における色温度および色相のばらつきが大きくなる。すなわち、製品の品質に対して好ましくない影響が出る。
【００４３】
したがって、製品として許容できる色温度および色相のばらつきの範囲内において、製造工程における製造効率を向上させるために、領域Ｈをできるだけ広い範囲に設定することが好ましい。なお、領域Ｈを設定するに際して、領域Ｈの広さとともに、領域Ｈの形状が本実施形態に係るＷＢ調整方法における重要な要素である。
【００４４】
本実施形態に係るＷＢ調整方法において、領域Ｈの形状および広さは、主観評価実験の結果に基づいて決定している。テレビジョン受像器１０の典型的な製品を製造ラインから抜き出し、そのテレビジョン受像器１０に、表示可能な階調のうち最高階調の白色を表示させる。最高階調の白色を表示させている状態において、当該白色の色度が所定の色度点となるように、Ｒ、Ｇ、Ｂの各点灯率（ゲイン）を調節する。所定の色度点は、任意に設定することができる。本実施形態において、所定の色度点は、黒体軌跡上かつ色温度が１２０００Ｋとなる色度点であるとする。この所定の色度点に調整済のテレビジョン受像器１０を、標準テレビジョン受像器１０ａと呼ぶ。
【００４５】
なお、Ｒ、Ｇ、Ｂの各点灯率を調節する際、テレビジョン受像器１０の色度点を測定するためには、分光式の色彩計（放射計）を用いることが好ましい。分光式の色彩計を用いることによって、精度の高い色度点の測定を行うことができる。
【００４６】
次に、基準となるモノスコ画像および肌色画像から、色温度、および、黒体軌跡からの偏差を変化させた複数の画像を、画像処理によって作成する。標準テレビジョン受像器１０ａを用いて、基準となるモノスコ画像および肌色画像と、色温度、および、黒体軌跡からの偏差が異なる複数の画像とを試験者が比較する。
【００４７】
試験者は、基準となる画像と、画像処理された画像とを比較して、違和感を感じないと許容できる色温度、および、黒体軌跡からの偏差の範囲を主観的に評価する。
【００４８】
上記の主観評価実験より、本実施形態においては領域Ｈを、Ｐ１〜Ｐ４の４点によって囲まれる四辺形の領域に設定している（図１参照）。色温度が９０００Ｋ、かつ、黒体軌跡からの偏差が＋０．００５Δｕｖおよび−０．００５Δｕｖである点を、それぞれＰ１およびＰ２とする。色温度が１８０００Ｋ、かつ、黒体軌跡からの偏差が＋０．００５Δｕｖおよび−０．００５Δｕｖである点を、それぞれＰ３およびＰ４とする。
【００４９】
ｘｙ色度図上におけるＰ１の座標を（ｘＰ１，ｙＰ１）と表記する。同様に、Ｐ２の座標を（ｘＰ２，ｙＰ２）、Ｐ３の座標を（ｘＰ３，ｙＰ３）、そして、Ｐ４の座標を（ｘＰ４，ｙＰ４）と表記する。Ｐ１〜Ｐ４の各座標は、以下のとおりである。
【００５０】
（ｘＰ１，ｙＰ１）＝（０．２８４２，０．３０２１）
（ｘＰ２，ｙＰ２）＝（０．２８９６，０．２８９４）
（ｘＰ３，ｙＰ３）＝（０．２６２７，０．２５６７）
（ｘＰ４，ｙＰ４）＝（０．２５４８，０．２６５１）
人間の視覚は、黒体軌跡上の色については広い範囲にわたって白色と認識する。そのため、色温度がある程度変化した映像を見ても、人間は違和感を感じにくい。したがって、領域Ｈの黒体軌跡の方向における長さは、長く設定することができる。
【００５１】
一方、黒体軌跡に対する偏差方向の変化について、人間は敏感である。黒体軌跡からの偏差が正の方向へずれると、映像は緑味がかって見える。逆に、偏差が負の方向へずれると、映像は赤味がかって見える。したがって、領域Ｈの黒体軌跡の偏差方向における長さは、短く設定されていることが好ましい。
【００５２】
このように、目標範囲である領域Ｈは、黒体軌跡方向に長く、黒体軌跡に対する偏差方向に短い四辺形、すなわち、黒体軌跡方向を長手方向とする四辺形であることが好ましい。このことによって、視聴者が違和感を感じない範囲内において、できるだけ広い範囲を領域Ｈに設定することができる。
【００５３】
（テレビジョン受像器１０）
図２を参照しながら、ＷＢ調整の対象となるテレビジョン受像器１０の構成について説明する。テレビジョン受像器１０は、地上デジタル放送、および、衛星放送によって伝送される映像音声ストリームを受信する。各映像音声データを受信するために、テレビジョン受像器１０の外部には、地上デジタル放送用アンテナ３２および衛星放送用アンテナ３３が設けられている。
【００５４】
地上デジタル放送によって伝送される映像音声データは、地上デジタル放送用アンテナ３２から地上デジタル放送チューナ１１に供給される。地上デジタル放送チューナ１１は、地上デジタル放送における複数チャンネルの中からユーザが指定するチャンネルを選択して、当該チャンネルの映像音声データをセレクタ１４に供給する。
【００５５】
衛星放送によって伝送される映像音声ストリームは、衛星放送用アンテナ３３から衛星放送チューナ１２に供給される。衛星放送チューナ１２は、衛星放送における複数チャンネルの中からユーザが指定するチャンネルを選択して、当該チャンネルの映像音声データをセレクタ１４に供給する。
【００５６】
テレビジョン受像器１０は、さらに、外部入力端子１３を備えていてもよい。ＨＤ（hard disk）レコーダ、および、ＢＤ（Blu-ray disk）といった外部機器を、テレビジョン受像器１０に接続するためのインターフェースである。当該インターフェースは、テレビジョン受像器１０が、上記の外部機器から映像音声データを受け付けるものであり、かつ、テレビジョン受像器１０と、上記の外部機器とを接続可能な規格に適合しているものである。上記インターフェースの規格として、例えばＨＤＭＩ、ＨＤＶ（ＩＥＥＥ１３９４）が挙げられる。
【００５７】
上記の外部機器がテレビジョン受像器１０に接続されている場合、外部機器に記録されている映像音声データは、外部入力端子１３を介してセレクタ１４に供給される。
【００５８】
ユーザは、視聴したい映像音声データの供給源を、リモコン３１、または、図示しない操作パネルを介して、選択することができる。ユーザが操作することによってリモコン３１から出力される操作信号は、赤外線受光部２１を介して制御部２２に供給される。制御部２２は、操作信号に基づいて、セレクタ１４を制御する。たとえば、ユーザがリモコン３１を用いて地上デジタル放送の視聴を選択すると、リモコン３１は当該操作に対応する操作信号を出力する。制御部２２は、当該操作信号を受けて、セレクタ１４が映像音声データの入力源として地上デジタル放送チューナ１１を選択するように、セレクタ１４を制御する。
【００５９】
セレクタ１４は、入力源として選択した地上デジタル放送チューナ１１からの映像音声データを復号部１５に供給する。
【００６０】
復号部１５は、まず、供給された映像音声データを、映像データ、音声データ、および、文字情報用のデータに分離する文字情報用のデータとは、ＥＰＧおよびＯＳＤ表示用のデータを含んでいる。
【００６１】
復号部１５は、次に、映像データおよび音声データを復号する。復号部１５によって復号された音声データは、音声信号処理部１６を介してスピーカ１７から音声として出力される。
【００６２】
一方、復号部１５によって復号された映像データは、映像信号処理部１８に供給される。映像信号処理部１８は、供給された映像データに対して、Ａ／Ｄ変換処理、ＹＩ分離処理、ＩＰ変換処理、マトリクス変換処理、および、その他の映像処理を必要に応じて適宜実行する。その結果として、映像信号処理部１８は、映像データから変換されたＲＧＢ信号をホワイトバランス調整部１９に供給する。
【００６３】
（ホワイトバランス調整部１９）
ホワイトバランス調整部１９は、映像信号処理部１８から供給されるＲＧＢ各色の信号に対して点灯率を調整することによってホワイトバランスの調整を行う。また、ホワイトバランス調整部１９において、ガンマ補正処理も実行する構成としてもよい。
【００６４】
ホワイトバランス調整部１９は、供給されるＲＧＢ信号に対してＷＢ調整を行う際に、ＷＢの調整値を参照する。ＷＢの調整値は、テレビジョン受像器１０の設計段階においてあらかじめ定められており、たとえば不揮発性のメモリ２３に格納されている。
【００６５】
ＷＢの調整値は、ホワイトバランス調整部１９に供給されるＲＧＢ信号の階調に応じて、Ｒ、Ｇ、Ｂ各信号の点灯率を規定するものである。ホワイトバランス調整部１９は、供給されるＲＧＢ信号の各階調と、Ｒ、Ｇ、Ｂ各信号の点灯率とを対応付けるものとして、たとえばルックアップテーブル（ＬＵＴ）を参照する。以下では、このＬＵＴを第１のＷＢ調整用ＬＵＴと呼ぶ。
【００６６】
なお、ＷＢ調整用ＬＵＴが格納される場所はメモリ２３に限られず、ホワイトバランス調整部１９が独自の不揮発性のメモリを備えていてもよい。
【００６７】
ホワイトバランス調整部１９によってＷＢが調整されたＲＧＢ信号はＬＣＤモジュール２０に供給され、ＬＣＤモジュールはＷＢが調整されたＲＧＢ信号に対応する映像を表示する。
【００６８】
各テレビジョン受像器１０は、製造工場から出荷される前に、本発明の一実施形態に係るＷＢ調整方法を用いてＷＢを調整される。ＷＢが調整されることによって、ＷＢの調整値は、設計段階にあらかじめ定められていた値から変化する。具体的には、ホワイトバランス調整装置５０から、新しいＷＢの調整値を入力される。
【００６９】
ホワイトバランス調整部１９は、当該新しいＷＢの調整値を、第１のＷＢ調整用ＬＵＴとは別個の第２のＷＢ調整用ＬＵＴとして不揮発性のメモリに格納することができる。別の格納方法としては、上記新しいＷＢの調整値を、第１のＷＢ調整用ＬＵＴに対して上書きしてもよい。なお、本実施形態では、上記新しいＷＢの調整値を第２のＷＢ調整用ＬＵＴとして不揮発性のメモリに格納するものとする。
【００７０】
ホワイトバランス調整部１９が格納するＷＢ調整用ＬＵＴは、第１および第２のＷＢ調整用ＬＵＴのみに限られるものではない。たとえば、テレビジョン受像器１０がユーザの手元に渡った際に、ユーザは好みの発色を得るためにホワイトバランスを調整したいと考える可能性がある。そのため、テレビジョン受像器１０のＷＢは、リモコン３１または操作パネルを介して、ユーザが調整できる構成であってもよい。その際、ユーザにカスタマイズされたＷＢの調整値は、第３のＷＢ調整用ＬＵＴとして不揮発性のメモリに格納される構成とすればよい。
【００７１】
（ＬＣＤモジュール２０）
テレビジョン受像器１０は、映像を表示するための表示手段としてＬＣＤモジュール２０を備えている。ＬＣＤモジュール２０は、液晶パネルと、バックライトとを備えている。
【００７２】
液晶パネルは、ホワイトバランス調整部１９から供給されるＲＧＢ信号にしたがって、各サブ画素が備える液晶を駆動する。このことによって、各サブ画素が表示する色の輝度が決定され、その結果、ＬＣＤモジュール２０には映像が表示される。
【００７３】
バックライトとしては、冷陰極管（ＣＣＦＬ）またはＬＥＤを用いることができる。また、ＣＣＦＬとＬＥＤとを併用してバックライトとすることもできる。
【００７４】
（ホワイトバランス調整装置５０）
続いて、テレビジョン受像器１０のＷＢを調整するための調整装置であるホワイトバランス調整装置５０について、同じく図２を参照して以下に説明する。ホワイトバランス調整装置５０は、上述したＷＢ調整方法の各処理を装置として具体的に実行するためのものである。
【００７５】
図２に示すように、ホワイトバランス調整装置５０は、ホワイトバランス判定部５１、光検出器５２、補正量決定部５３、および、制御部５４を備えている。
【００７６】
（ホワイトバランス判定部５１）
ホワイトバランス判定部５１および光検出器５２としては、一般的に色彩計と呼ばれる装置を用いることができる。光検出器５２を、ＬＣＤモジュール２０における所定の領域に対して対向する位置に配置する。光検出器５２は、ＬＣＤモジュール２０が出射する光を検出し（検出工程）、所定のＲ、Ｇ、Ｂの各波長における光強度を信号としてホワイトバランス判定部５１に供給する。
【００７７】
ホワイトバランス判定部５１は、上記Ｒ、Ｇ、Ｂの各波長の光強度から、Ｒ、Ｇ、Ｂの三刺激値（Ｘ，Ｙ，Ｚ）を算出する。さらに、ホワイトバランス判定部５１は、三刺激値（Ｘ，Ｙ，Ｚ）をもとに、ｘｙ色度図上における色度点（ｘｉ，ｙｉ）を算出する（特定工程）。色度点（ｘｉ，ｙｉ）は、ＬＣＤモジュール２０が出射する光の色相および彩度を反映しているパラメータである。
【００７８】
なお、ホワイトバランス判定部５１がＬＣＤモジュール２０の色度点（ｘｉ，ｙｉ）を算出するために、光検出器５２が測定する所定の領域は、１つの領域であってもよいし、複数の領域であってもよい。たとえば、ＬＣＤモジュール２０の中央に位置する領域の色度点（ｘｉ，ｙｉ）をもって、ＬＣＤモジュール２０の色度点（ｘｉ，ｙｉ）としてもよい。別の方法として、たとえば、光検出器５２は、ＬＣＤモジュール２０の中央および４つの角部の合計５つの領域を測定しても良い。ホワイトバランス判定部５１は、当該５つの領域における各色度点を平均した色度点を、ＬＣＤモジュール２０の色度点（ｘｉ，ｙｉ）としてもよい。
【００７９】
ホワイトバランス判定部５１は、算出した色度点（ｘｉ，ｙｉ）を補正量決定部５３に対して出力する。
【００８０】
色彩計は、その測定原理から分光式と、刺激値直読式とに大別される。分光式の色彩計は、精度良く色度点を測定することができるが、測定に要する時間が長いというデメリットを要する。一方、刺激値直読式の色彩計は、精度の点で分光式より劣るものの、短時間で色度点を測定可能であるというメリットを持つ。本実施形態に係るホワイトバランス調整装置は、テレビジョン受像器１０の製造工程の１つであるホワイトバランス調整を行うための装置である。テレビジョン受像器１０の製造効率を向上させるためには、刺激値直読式の色彩計をホワイトバランス判定部５１および光検出器５２として用いることが好ましい。
【００８１】
（補正量決定部５３）
図１に示すように、ｘｙ色度図は領域Ａ〜Ｈに分けられている。補正量決定部５３は、色度点（ｘｉ，ｙｉ）が、領域Ａ〜Ｈの何れにぞくするものであるかを判定する（判定工程）。
【００８２】
補正量決定部５３は、この判定結果に基づいて、ホワイトバランス判定部５１から供給される色度点（ｘｉ，ｙｉ）から、色度点（ｘｉ，ｙｉ）に対応付けられた調整目標色度点（ｘ０，ｙ０）（収束点）を算出する。色度点（ｘｉ，ｙｉ）から調整目標色度点（ｘ０，ｙ０）を算出する方法についての詳細は後述する。なお、補正量決定部５３が、色度点（ｘｉ，ｙｉ）を算出するために用いる数式、および、目標範囲である領域Ｈなどに関するパラメータは、制御部５４が備えるメモリ（図示せず）に格納する構成としてもよい。また、当該メモリは、補正量決定部５３に備えられていてもよい。補正量決定部５３は、上記メモリに格納されている数式、および、パラメータを、制御部５４からの制御信号にしたがって用いることができる。本実施形態においては、制御部５４が上記メモリを備えているとして説明を進める。
【００８３】
補正量決定部５３は、調整目標色度点（ｘ０，ｙ０）に対応する調整目標三刺激値（Ｘ０，Ｙ０，Ｚ０）を算出し制御部５４に供給する。制御部５４は、テレビジョン受像器１０が備える調整用端子２４を介して、調整目標三刺激値（Ｘ０，Ｙ０，Ｚ０）をホワイトバランス調整部１９に供給する（調整工程）。
【００８４】
ホワイトバランス調整部１９は、制御部５４から供給される調整目標三刺激値（Ｘ０，Ｙ０，Ｚ０）を受けて、Ｒ、Ｇ、Ｂの各光強度を変化させる。このように、ホワイトバランス調整装置５０を用いることによって、テレビジョン受像器１０のホワイトバランスが調整される（調整工程）。
【００８５】
（ホワイトバランス調整の流れ）
以下では、ホワイトバランス調整装置５０によるホワイトバランス調整処理の流れについて、図３のフローチャートを参照しながら説明する。
【００８６】
準備工程として、テレビジョン受像器１０の備える制御部２２は、第１のＷＢ調整用ＬＵＴに格納されている白色のうち、最高階調の白色をＬＣＤモジュール２０に表示させるように、映像信号処理部１８に制御信号を供給する。映像信号処理部１８は、ホワイトバランス調整部１９を介してＬＣＤモジュール２０に、最高階調の白色を表示する。
【００８７】
（Ｓ１０１）
まず、ホワイトバランス調整装置５０は、テレビジョン受像器１０が備えるＬＣＤモジュール２０に表示された白色のＷＢパターンを測定する。具体的には、ホワイトバランス調整装置５０が備える光検出器５２は、ＬＣＤモジュール２０の所定の位置において、ＬＣＤモジュール２０から出射される光を検出し（検出工程）、所定のＲ、Ｇ、Ｂの各波長における光強度を信号としてホワイトバランス判定部５１に供給する。
【００８８】
ホワイトバランス判定部５１は、上記Ｒ、Ｇ、Ｂの各波長の光強度から、Ｒ、Ｇ、Ｂの三刺激値（Ｘ，Ｙ，Ｚ）を算出する。さらに、ホワイトバランス判定部５１は、三刺激値（Ｘ，Ｙ，Ｚ）をもとに、ｘｙ色度図上におけるＷＢ調整前の色度点（ｘｉ，ｙｉ）を算出する（特定工程）。
【００８９】
（Ｓ１０２）
続いて、補正量決定部５３は、ホワイトバランス判定部５１から供給される色度点（ｘｉ，ｙｉ）が、図１に示す色度図における調整目標範囲である領域Ｈに含まれているか否かを判定する。領域Ｈは、上述のようにＰ１〜Ｐ４の４点を互いに直線で結んだ四辺形である（図１参照）。
【００９０】
領域Ｈを形成する四辺は、Ｐ１〜Ｐ４の座標を用いて次のように表すことができる。Ｐ１とＰ２とを結ぶ直線をｙ１２とすると、ｙ１２＝ａ１２×ｘ＋ｂ１２である。ここで、
ａ１２＝（ｙＰ１−ｙＰ２）／（ｘＰ１−ｘＰ２）、
ｂ１２＝（ｘＰ１×ｙＰ２−ｘＰ２×ｙＰ１）／（ｘＰ１−ｘＰ２）、
である。
【００９１】
同様に、Ｐ２とＰ３とを結ぶ直線をｙ２３とすると、ｙ２３＝ａ２３×ｘ＋ｂ２３である。ここで、
ａ２３＝（ｙＰ２−ｙＰ３）／（ｘＰ２−ｘＰ３）、
ｂ２３＝（ｘＰ２×ｙＰ３−ｘＰ３×ｙＰ２）／（ｘＰ２−ｘＰ３）、
である。
【００９２】
Ｐ３とＰ４とを結ぶ直線をｙ３４とすると、ｙ３４＝ａ３４×ｘ＋ｂ３４である。ここで、
ａ３４＝（ｙＰ３−ｙＰ４）／（ｘＰ３−ｘＰ４）、
ｂ３４＝（ｘＰ３×ｙＰ４−ｘＰ４×ｙＰ３）／（ｘＰ３−ｘＰ４）、
である。
【００９３】
Ｐ４とＰ１とを結ぶ直線をｙ４１とすると、ｙ４１＝ａ４１×ｘ＋ｂ４１である。ここで、
ａ４１＝（ｙＰ４−ｙＰ１）／（ｘＰ４−ｘＰ１）、
ｂ４１＝（ｘＰ４×ｙＰ１−ｘＰ１×ｙＰ４）／（ｘＰ４−ｘＰ１）、
である。ホワイトバランス判定部５１から供給される色度点（ｘｉ，ｙｉ）が、領域Ｈに含まれている場合、補正量決定部５３は、ＬＣＤモジュール２０においてＷＢ調整は不要である、と判断し（Ｓ１０２でＹＥＳ）、ＷＢ調整処理が終了する。
【００９４】
一方、色度点（ｘｉ，ｙｉ）が領域Ｈに含まれていない場合（Ｓ１０２でＮＯ）、ステップＳ１０３に進む。
【００９５】
（Ｓ１０３）
補正量決定部５３は、色度点（ｘｉ，ｙｉ）に応じて調整目標色度点（ｘ０，ｙ０）を領域Ｈを形成する四辺上のいずれかの点、または、４つの頂点のいずれかの点に設定する。この際、補正量決定部５３は、色度点（ｘｉ，ｙｉ）が図１に示す領域Ａ〜Ｇの何れの領域に属しているかを判定する（判定手段）。補正量決定部５３は、この判定結果に基づいて、ＷＢ調整にともなう白色の輝度低下がなるべく小さくなるように、色度点（ｘｉ，ｙｉ）に対応する調整目標色度点（ｘ０，ｙ０）を設定する。
【００９６】
ＬＣＤモジュール２０は、すでに表示可能な白色のうち最高階調の白色を表示している。Ｒ、Ｇ、Ｂの点灯率を調整することによってＷＢ調整を行うことは、Ｒ、Ｇ、Ｂのいずれか１つまたは２つの点灯率を小さく設定し直すことを意味する。言い換えると、ＷＢを調整することによって、ＬＣＤモジュール２０の輝度が低下することになる。
【００９７】
補正量決定部５３は、このＷＢ調整に伴うＬＣＤモジュール２０の輝度低下が可能な限り抑制されるよう調整目標色度点（ｘ０，ｙ０）を設定する。
【００９８】
調整目標色度点（ｘ０，ｙ０）の設定例を以下に示す。たとえば、色度点（ｘｉ，ｙｉ）が領域Ａに含まれている場合、補正量決定部５３は、Ｐ１を、色度点（ｘｉ，ｙｉ）に対応する調整目標色度点（ｘ０，ｙ０）に設定する。
【００９９】
色度点（ｘｉ，ｙｉ）が領域Ｂに含まれている場合、補正量決定部５３は、色度点（ｘｉ，ｙｉ）に対応する調整目標色度点（ｘ０，ｙ０）を、Ｐ１とＰ２とを結ぶ線分上に設定する。より具体的には、補正量決定部５３は、ｙ０＝ｙｉとする。その上で、補正量決定部５３は、ｙ１２と、ｙ＝ｙｉとの交点を調整目標色度点（ｘ０，ｙ０）に設定する。この場合、調整目標色度点（ｘ０，ｙ０）＝（（ｙｉ−ｂ１２）／ａ１２，ｙｉ）となる。
【０１００】
色度点（ｘｉ，ｙｉ）が領域Ｃに含まれている場合、補正量決定部５３は、色度点（ｘｉ，ｙｉ）に対応する調整目標色度点（ｘ０，ｙ０）を、Ｐ２とＰ３とを結ぶ線分上に設定する。より具体的には、補正量決定部５３は、ｙ０＝ｙｉとする。その上で、補正量決定部５３は、ｙ２３と、ｙ＝ｙｉとの交点を調整目標色度点（ｘ０，ｙ０）に設定する。この場合、調整目標色度点（ｘ０，ｙ０）＝（（ｙｉ−ｂ２３）ａ２３，ｙｉ）となる。
【０１０１】
色度点（ｘｉ，ｙｉ）が領域Ｄに含まれている場合、補正量決定部５３は、Ｐ３を、色度点（ｘｉ，ｙｉ）に対応する調整目標色度点（ｘ０，ｙ０）に設定する。
【０１０２】
色度点（ｘｉ，ｙｉ）が領域Ｅに含まれている場合、補正量決定部５３は、色度点（ｘｉ，ｙｉ）に対応する調整目標色度点（ｘ０，ｙ０）を、Ｐ３とＰ４とを結ぶ線分上に設定する。より具体的には、補正量決定部５３は、ｙ２３の傾きであるａ２３、および、ｙ４１の傾きであるａ４１から平均の傾きａ５を算出する。さらに、補正量決定部５３は、傾きがａ５であり、色度点（ｘｉ，ｙｉ）を通る直線ｙ５のｙ切片ｂ５を算出する。ここで、ａ５およびｂ５は、
ａ５＝（ａ２３＋ａ４１）／２、
ｂ５＝ｙｉ−ａ５×ｘｉ、
と表される。補正量決定部５３は、ｙ３４と、ｙ５との交点を調整目標色度点（ｘ０，ｙ０）に設定する。この場合、調整目標色度点（ｘ０，ｙ０）＝（（ｂ５−ｂ３４）／（ａ３４−ａ５），（ａ３４×ｂ５−ａ５×ｂ３４）／（ａ３４−ａ５））となる。
【０１０３】
色度点（ｘｉ，ｙｉ）が領域Ｆに含まれている場合、補正量決定部５３は、Ｐ４を、色度点（ｘｉ，ｙｉ）に対応する調整目標色度点（ｘ０，ｙ０）に設定する。
【０１０４】
色度点（ｘｉ，ｙｉ）が領域Ｇに含まれている場合、補正量決定部５３は、色度点（ｘｉ，ｙｉ）に対応する調整目標色度点（ｘ０，ｙ０）を、Ｐ４とＰ１とを結ぶ線分上に設定する。より具体的には、補正量決定部５３は、ｘ０＝ｘｉとする。その上で、補正量決定部５３は、ｙ４１と、ｘ＝ｘｉとの交点を調整目標色度点（ｘ０，ｙ０）に設定する。この場合、調整目標色度点（ｘ０，ｙ０）＝（ｘｉ，ａ４１×ｘｉ＋ｂ４１）となる。
【０１０５】
補正量決定部５３は、色度点（ｘｉ，ｙｉ）に対応する調整目標色度点（ｘ０，ｙ０）を設定した後に、調整目標色度点（ｘ０，ｙ０）に対応する調整目標三刺激値（Ｘ０，Ｙ０，Ｚ０）を算出する。
【０１０６】
制御部５４は、補正量決定部５３から供給される調整目標三刺激値（Ｘ０，Ｙ０，Ｚ０）を、テレビジョン受像器１０が備える調整用端子２４を介して、ホワイトバランス調整部１９に供給する（調整工程）。ホワイトバランス調整部１９は、ＲＧＢの刺激値が、調整目標三刺激値（Ｘ０，Ｙ０，Ｚ０）になるようにＲＧＢ各色の点灯率を調整する（調整工程）。その結果、ＬＣＤモジュール２０には、ＷＢが調整された白が表示される。
【０１０７】
（Ｓ１０４）
続いて、ステップＳ１０３にてＷＢが調整されたＬＣＤモジュール２０は、再び、ホワイトバランス調整装置５０によってＷＢパターンを測定される。ＷＢパターンの測定方法は、ステップＳ１０１と同様である。
【０１０８】
ここで、ホワイトバランス判定部５１によって算出される色度点は、ＷＢ調整前の色度点（ｘｉ，ｙｉ）とは異なる。このＷＢ調整後の色度点を色度点（ｘｉ’，ｙｉ’）とする。ホワイトバランス判定部５１は、色度点（ｘｉ’，ｙｉ’）を補正量決定部５３に供給する。
【０１０９】
（Ｓ１０５）
補正量決定部５３は、色度点（ｘｉ’，ｙｉ’）が領域Ｈに含まれているか否かを判定する（識別工程）。色度点（ｘｉ，ｙｉ）が領域Ｈに含まれている場合、補正量決定部５３は、ＬＣＤモジュール２０におけるＷＢの調整が完了したと判定する（Ｓ１０５においてＹＥＳ）。
【０１１０】
色度点（ｘｉ，ｙｉ）が領域Ｈに含まれていない場合、補正量決定部５３は、色度点（ｘｉ’，ｙｉ’）と、調整目標色度点（ｘ０，ｙ０）との差分を算出する。すなわち、Δｘ＝｜ｘｉ’−ｘ０｜、および、Δｙ＝｜ｙｉ’−ｙ０｜を算出する。制御部５４が備えるメモリには、当該差分あるΔｘおよびΔｙとして許容できる値が、閾値ΔｘｔｈおよびΔｙｔｈとしてあらかじめ格納されている。
【０１１１】
補正量決定部５３は、ΔｘとΔｘｔｈとを比較し、ΔｙとΔｙｔｈとを比較する。Δｘ＜Δｘｔｈ、かつ、Δｙ＜Δｙｔｈであれば、補正量決定部５３は、色度点（ｘｉ’，ｙｉ’）が調整目標色度点（ｘ０，ｙ０）の近傍にあると判定する。言い換えると、補正量決定部５３は、ＬＣＤモジュール２０におけるＷＢの調整が完了したと判定する。
【０１１２】
以上のように、補正量決定部５３が、ＬＣＤモジュール２０におけるＷＢの調整が完了したと判定した場合、制御部５４は、ホワイトバランス調整が終了したことを知らせる制御信号を、調整用端子２４を介してホワイトバランス調整部１９に供給する。ホワイトバランス調整部１９は、当該制御信号を受けると、その時点でのＲ、Ｇ、Ｂ各色の点灯率を第２のＬＵＴに格納する。
【０１１３】
一方、補正量決定部５３が、ΔｘとΔｘｔｈとを比較し、ΔｙとΔｙｔｈとを比較下結果、Δｘ＜Δｘｔｈ、かつ、Δｙ＜Δｙｔｈが満たされていない場合、補正量決定部５３は、当該結果を制御部５４に供給する。制御部５４は、上記結果に基づいてＬＣＤモジュール２０におけるＷＢの調整が未完了であると判定する。すなわち、制御部５４は、Ｓ１０５においてＮＯを選択する。
【０１１４】
（Ｓ１０６）
補正量決定部５３は、色度点（ｘｉ’，ｙｉ’）に対応する新たな調整目標色度点（ｘ０’，ｙ０’）を、領域Ｈを形成する四辺上のいずれかの点、または、４つの頂点のいずれかの点に設定する。Ｓ１０６におけるＲＧＢ比率調整の方法は、Ｓ１０３に示す方法と同様である。
【０１１５】
補正量決定部５３は、新たな調整目標色度点（ｘ０’，ｙ０’）に対応する、新たな調整目標三刺激値（Ｘ０’，Ｙ０’，Ｚ０’）を算出し制御部５４に供給する。制御部５４は、新たな調整目標三刺激値（Ｘ０’，Ｙ０’，Ｚ０’）を、調整用端子２４を介してホワイトバランス調整部１９に供給する（再調整工程）。ホワイトバランス調整部１９は、ＲＧＢの刺激値が、新たな調整目標三刺激値（Ｘ０’，Ｙ０’，Ｚ０’）になるようにＲＧＢ各色の点灯率を再調整する（再調整工程）。
【０１１６】
このようにＷＢが調整されたＬＣＤモジュール２０は、Ｓ１０４に戻り、再びホワイトバランス調整装置５０によってＷＢパターンを測定される。
【０１１７】
なお、以上の説明では、制御部５４が調整目標三刺激値を、調整用端子２４を介してホワイトバランス調整部１９に供給し、ホワイトバランス調整部１９が、ＲＧＢの刺激値が調整目標三刺激値になるようにＲＧＢ各色の点灯率を調整する構成を例に挙げたが、本実施形態はこれに限定されない。例えば、制御部５４が、ＲＧＢの刺激値が調整目標三刺激値になるようなＲＧＢ各色の点灯率を算出し、算出した点灯率をワイトバランス調整部１９に供給する構成としてもよい。
（線形計画法による調整目標色度点の決定方法）
上述のステップＳ１０３において、補正量決定部５３が、調整前の色度点（ｘｉ，ｙｉ）に対応する調整目標色度点（ｘ０，ｙ０）を決定する方法の一例について述べた。ステップＳ１０３に記載の調整目標色度点（ｘ０，ｙ０）の決定方法は、テレビジョン受像器１０の製造効率を向上させるために、簡略化した調整目標色度点（ｘ０，ｙ０）の決定方法である。
【０１１８】
ここでは、補正量決定部５３が、調整前の色度点（ｘｉ，ｙｉ）に対応する調整目標色度点（ｘ０，ｙ０）を決定するより厳密な方法について説明する。当該方法では、線形計画法を用いる。
【０１１９】
（線形計画問題）
線形計画法とは、いくつかの１次不等式および１次等式を満たす変数の値の中で、ある一次式を最大化、または、最小化する値を求める方法である。言い換えると、いくつかの１次不等式および１次等式を満たす変数の値の中で、ある一次式を最大化、または、最小化する値を求める問題が線形計画問題であり、その問題を解く手法が線形計画法である。
【０１２０】
ここでは、ホワイトバランス調整装置５０が行うＷＢ調整方法に際して、補正量決定部５３が、色度点（ｘｉ，ｙｉ）に対応する調整目標色度点（ｘ０，ｙ０）を最適化する問題を線形計画問題とする。
【０１２１】
（定数）
ＲＧＢ各色において、いずれか１色の最大点灯時（点灯率が１の場合）の三刺激値を定数として定義する。具体的には、Ｒのみが最大点灯時の三刺激値を定数ＸＲ、ＹＲおよびＺＲと定義する。Ｇのみが最大点灯時の三刺激値を定数ＸＧ、ＹＧおよびＺＧと定義する。Ｂのみが最大点灯時の三刺激値を定数ＸＢ、ＹＢおよびＺＢと定義する。
【０１２２】
（変数）
ホワイトバランス調整装置５０が行うＷＢ調整において、ホワイトバランス調整部１９は、ＲＧＢ各色の点灯率を変化させる。そこで、Ｒ、ＧおよびＢ各色の点灯率を、それぞれ変数ｒ、ｇおよびｂとして定義する。
【０１２３】
（目的関数）
ホワイトバランス調整装置５０が行うＷＢ調整は、ＷＢ調整に伴うＬＣＤモジュール２０の輝度の低下をなるべく抑制することを１つの目的としている。言い換えると、与えられた制約の中で、ｒ、ｇおよびｂを最適化し、ＬＣＤモジュール２０の輝度をなるべく高くすることを目的としている。したがって、ＬＣＤモジュール２０の輝度が、線形計画問題の目的関数Ｆとなる。目的関数Ｆは、次のように定義される。
Ｆ＝ｒＹＲ＋ｇＹＧ＋ｂＹＢ
（制約条件）
補正量決定部５３が調整目標色度点（ｘ０，ｙ０）を最適化するする際の制約条件は、次に示す２つである。
【０１２４】
（ｉ）  ０＜ｒ、ｇ、ｂ＜１、
（ｉｉ）調整目標色度点（ｘ０，ｙ０）が領域Ｈ内に存在する、
Ｒ、ＧおよびＢ各色の点灯率は、０〜１の範囲内において変更することができる。白色を表示している状態において、ＲＧＢ各色のいずれか１色が点灯率０となることなあり得ない。したがって、ＲＧＢ各色の点灯率ｒ、ｇおよびｂは、（ｉ）の制約条件によって制約される。一方、調整目標色度点（ｘ０，ｙ０）は、目標範囲内に入っていることが好ましい。したがって、調整目標色度点（ｘ０，ｙ０）は、（ｉｉ）の制約条件によって制約される。
【０１２５】
なお、色度点（ｘ，ｙ）上で定義した定数であるＸＲ、ＹＲ、ＺＲ、ＸＧ、ＹＧ、ＺＧ、ＸＢ、ＹＢおよびＺＢと、上で定義した変数であるｒ、ｇおよびｂを用いて色度点（ｘ，ｙ）は次のように表される。
【０１２６】
【数１】
0005145454.tif 000002
【０１２７】
【数２】
0005145454.tif 000003
【０１２８】
これらの制約条件のもとで線形計画問題を解くことによって、制約条件を満たし、かつ、目的関数Ｆ、すなわちＬＣＤモジュール２０の輝度を最大とする変数ｒ、ｇおよびｂを得ることができる。得られたｒ、ｇおよびｂを色度に変換することによって、補正量決定部５３は、ＬＣＤモジュール２０の輝度低下を最大限に抑制できる調整目標色度点（ｘ０，ｙ０）を決定することができる。
【０１２９】
線形計画問題を解く手法としては、シンプレックス法、カーマーカー法などのアルゴリズムを用いることができる。ホワイトバランス調整装置５０において、制御部５４が備えるメモリには、上記アルゴリズムを利用した線形計画問題を解くプログラムが格納されていることが好ましい。このような構成によって、補正量決定部５３は、任意に上記プログラムを用いて線形計画問題を解くことができる。
【０１３０】
（最適化された調整目標色度点）
補正量決定部５３が、色度点（ｘｉ，ｙｉ）に対応する調整目標色度点（ｘ０，ｙ０）を最適化する問題を線形計画問題として解いた結果を図４に示す。図４には、黒体軌跡、等色温度線、および、等偏差線が描かれている。上述したように、目標範囲である領域Ｈは、Ｐ１〜Ｐ４の４点によって形成される四辺形である。
【０１３１】
色温度が６０００Ｋ〜２０００００Ｋの範囲内の等色温度線と、＋０．０２０Δｕｖ〜−０．０２０Δｕｖの範囲内の等偏差線との交点を、ＷＢ調整前の各色度点（ｘｉ，ｙｉ）としている。
【０１３２】
図４に示すように、各色度点（ｘｉ，ｙｉ）に対応する各調整目標色度点（ｘ０，ｙ０）は、Ｐ１〜Ｐ４の各点、および、領域Ｈを形成する四辺上の各点のいずれかになる。ホワイトバランス調整装置５０が実施するＷＢ調整において、補正量決定部５３が線形計画問題を解くことによって調整前の色度点（ｘｉ，ｙｉ）に対応する調整目標色度点（ｘ０，ｙ０）を決定する構成にすれば、図１に示す領域Ａ〜Ｇのような領域分割を行わずとも、ＬＣＤモジュール２０の輝度低下を最大限に抑制することができる。このように、各調整目標色度点（ｘ０，ｙ０）として、領域分割を行うか行わないかに関わらず、ＬＣＤモジュール２０の表示色の輝度低下がより小さくなるように設定されたものを用いる構成とすることができる。
【０１３３】
一方で、当該構成を採用すると、補正量決定部５３が調整目標色度点（ｘ０，ｙ０）を決定するのに時間を要し、テレビジョン受像器１０の製造効率が低下する。
【０１３４】
（簡素化した調整目標色度点の決定方法）
そこで、図４に示す線形計画法の結果をもとに、ＬＣＤモジュール２０の輝度低下を抑制しつつ、補正量決定部５３が、調整目標色度点（ｘ０，ｙ０）を決定するのに要する時間が短くて済む簡便な方法を以下に示す。
【０１３５】
図４に示すように、各色度点（ｘｉ，ｙｉ）に対応する各調整目標色度点（ｘ０，ｙ０）は、Ｐ１〜Ｐ４の各点、および、領域Ｈを形成する四辺上の各点のいずれかになる。また、調整前の色度点（ｘｉ，ｙｉ）と、当該色度点（ｘｉ，ｙｉ）に対応する調整目標色度点（ｘ０，ｙ０）との対応関係には、色度図上の領域ごとに特有の傾向がある。
【０１３６】
その傾向にしたがって、目標領域（領域Ｈ）以外の領域を、複数の領域に分けた色度図を図５に示す。各領域における調整前の色度点（ｘｉ，ｙｉ）と、当該色度点（ｘｉ，ｙｉ）に対応する調整目標色度点（ｘ０，ｙ０）との対応関係における傾向は以下の通りである。
【０１３７】
領域Ａに含まれる色度点（ｘｉ，ｙｉ）のほとんどに対応する調整目標色度点（ｘ０，ｙ０）は、Ｐ１に収束する。
【０１３８】
領域Ｂに含まれる色度点（ｘｉ，ｙｉ）のほとんどに対応する調整目標色度点（ｘ０，ｙ０）は、そのｙ座標をｙｉからは大きく変化させずに、Ｐ１とＰ２とを繋ぐ線分上に収束する。
【０１３９】
領域Ｃに含まれる色度点（ｘｉ，ｙｉ）のほとんどに対応する調整目標色度点（ｘ０，ｙ０）は、そのｙ座標をｙｉからは大きく変化させずに、Ｐ２とＰ３とを繋ぐ線分上に収束する。
【０１４０】
領域Ｄに含まれる色度点（ｘｉ，ｙｉ）のほとんどに対応する調整目標色度点（ｘ０，ｙ０）は、Ｐ３に収束する。
【０１４１】
領域Ｅに含まれる色度点（ｘｉ，ｙｉ）のほとんどに対応する調整目標色度点（ｘ０，ｙ０）は、領域Ｈの長手方向を形成する２辺と略平行な平行に移動し、Ｐ３とＰ４とを繋ぐ線分上に収束する。
【０１４２】
領域Ｆに含まれる色度点（ｘｉ，ｙｉ）のほとんどに対応する調整目標色度点（ｘ０，ｙ０）は、Ｐ４に収束する。
【０１４３】
領域Ｇに含まれる色度点（ｘｉ，ｙｉ）のほとんどに対応する調整目標色度点（ｘ０，ｙ０）は、そのｘ座標をｘｉからは大きく変化させずに、Ｐ４とＰ１とを繋ぐ線分上に収束する。
【０１４４】
この結果にもとづいて、補正量決定部５３は、複雑な線形計画問題を解くことなく、色度点（ｘｉ，ｙｉ）に対応する調整目標色度点（ｘ０，ｙ０）を決定することができる（ステップＳ１０３参照）。したがって、ホワイトバランス調整装置５０は、テレビジョン受像器１０のＷＢ調整を短時間のうちに完了することができる。すなわち、ホワイトバランス調整装置５０は、ＷＢ調整に伴うＬＣＤモジュール２０の輝度低下を抑制した上で、テレビジョン受像器１０の製造効率を向上させることができる。
【０１４５】
なお、ここに記載した調整目標色度点（ｘ０，ｙ０）の決定方法は、ＷＢ調整に要する時間を短縮することを重視して、各領域間の境界線を決定している。また、領域ＢおよびＣにおいてはｙ０＝ｙｉと近似し、領域Ｇにおいてはｘ０＝ｘｉと近似している。
【０１４６】
ＷＢ調整に要する時間を犠牲にすることにはなるが、ＷＢ調整に伴うＬＣＤモジュール２０の輝度低下をより抑制するために、各領域間の境界線を、線形計画法の結果（図４参照）により忠実な配置に変更することもできる。この際は、各領域間に設定する境界線の形状に応じて、色度点（ｘｉ，ｙｉ）と、調整目標色度点（ｘ０，ｙ０）とを対応付ければよい。
【０１４７】
このように、色度点（ｘｉ，ｙｉ）の属する領域に対応付けられた調整目標色度点（ｘ０，ｙ０）であって、ＬＣＤモジュール２０の輝度低下がより小さくなるように設定された調整目標色度点（ｘ０，ｙ０）に向かって、上記表示装置の表示色が変化するように、上記表示装置の各原色に対するゲインを調整する構成としてもよい。
【０１４８】
（付記事項）
上述したホワイトバランス調整装置５０の各ブロックは、集積回路（ＩＣチップ）上に形成された論理回路によってハードウェア的に実現してもよいし、ＣＰＵ（Central Processing Unit）を用いてソフトウェア的に実現してもよい。
【０１４９】
後者の場合、上記装置は、各機能を実現するプログラムの命令を実行するＣＰＵ、上記プログラムを格納したＲＯＭ（Read Only Memory）、上記プログラムを展開するＲＡＭ（Random Access Memory）、上記プログラム及び各種データを格納するメモリ等の記憶装置（記録媒体）などを備えている。そして、本発明の目的は、上述した機能を実現するソフトウェアである上記各装置の制御プログラムのプログラムコード（実行形式プログラム、中間コードプログラム、ソースプログラム）をコンピュータ読み取り可能に記録した記録媒体を、上記装置に供給し、そのコンピュータ（またはＣＰＵやＭＰＵ）が記録媒体に記録されているプログラムコードを読み出し実行することによっても、達成可能である。
【０１５０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【０１５１】
また、上記各装置を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１５２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１５３】
本発明は、画像表示装置のホワイトバランスを調整するための調整方法および調整装置に好適に適用することができる。
【符号の説明】
【０１５４】
１０    テレビジョン受像器
１１    地上デジタル放送チューナ
１２    衛星放送チューナ
１３    外部入力端子
１４    セレクタ
１５    復号部
１６    音声信号処理部
１７    スピーカ
１８    映像信号処理部
１９    ホワイトバランス調整部
２０    ＬＣＤモジュール
２１    赤外線受光部
２２    制御部
２３    メモリ
２４    調整用端子
３１    リモコン
３２    地上デジタル放送用アンテナ
３３    衛星放送用アンテナ
５０    ホワイトバランス調整装置
５１    ホワイトバランス判定部（特定手段）
５２    光検出器（検出手段）
５３    補正量決定部
５４    制御部（調整手段）
【要約】
【課題】ホワイトバランス調整に伴う輝度低下を抑制する。
【解決手段】白画像表示時の表示装置の表示色が色空間における所定の目標範囲に含まれるように、上記表示装置の各原色に対するゲインを調整するホワイトバランス調整方法において、上記目標範囲に含まれる、上記表示色の収束点は、上記表示装置の表示色の輝度低下がより小さくなるように設定されたものである。
【選択図】図１【図１】
0005145454.tif 000004
【図２】
0005145454.tif 000005
【図３】
0005145454.tif 000006
【図４】
0005145454.tif 000007
【図５】
0005145454.tif 000008